【手続補正書】
【提出日】平成31年3月6日(2019.3.6)
【手続補正１】
【補正対象書類名】明細書
【補正対象項目名】０１２２
【補正方法】変更
【補正の内容】
【０１２２】
本明細書に引用される全ての参考文献及び刊行物は、それらが本開示と直接矛盾し得る場合を除き、それらの全容を参照によって本開示に明確に援用するものである。本開示の例示的実施形態を検討するとともに本開示の範囲内の可能な変形例を参照してきた。本開示のこれらの及び他の変形例及び変更例は開示の範囲から逸脱することなく当業者には明らかであろうとともに、本開示は本明細書に記載された例示的実施形態に限定されないことは理解されよう。したがって、本開示は、以下に記載の特許請求の範囲によってのみ限定されるものとする。本発明の実施態様の一部を以下の項目［１］−［２０］に記載する。
［１］
アーチ部材本体、及び前記アーチ部材本体に接続された複数のアーチ部材連結具を備えるアーチ部材と、
固定具連結具、及び前記固定具を歯の表面に接続するように適合された基部をそれぞれ含む、複数の固定具と、を備えている歯科矯正装具であって、
各アーチ部材連結具は、前記複数の固定具のうちの固定具の前記固定具連結具に取り外し可能に接続可能であり、更に少なくとも１つの固定具は、前記アーチ部材本体に対して変位するように適合され、前記少なくとも１つの固定具は、前記固定具が前記歯の前記表面に接続され、前記複数のアーチ部材連結具のうちのアーチ部材連結具が前記固定具連結具に接続されるときに、前記アーチ部材本体に対して摺動できるようになっており、
前記アーチ部材本体は、２つのアーチ部材連結具の間において第１の形状を含み、これは別の２つのアーチ部材連結具の間の第２形状とは異なり、更に、前記アーチ部材本体は、前記複数の固定具のうちの前記固定具が前記歯の前記表面と接続されるときに、前記歯の前記表面と接触しないように適合されている、歯科矯正装具。
［２］
前記アーチ部材本体の前記第１形状は、第１矯正力をかけるように適合され、前記第２形状は、前記第１矯正力とは異なる第２矯正力をかけるように適合されている、項目１に記載の歯科矯正装具。
［３］
前記複数のアーチ部材連結具の各アーチ部材連結具はチャネルを含み、前記アーチ部材本体の一部分は、前記チャネルに受け入れられている、項目１に記載の歯科矯正装具。
［４］
前記チャネルは、長手方向軸線を有し、前記アーチ部材連結具が前記対応する固定具連結具に接続されるときに、前記長手方向軸線は、近心−遠心平面に対して角度を成している、項目３に記載の歯科矯正装具。
［５］
前記複数の固定具連結具の各固定具連結具は、ポストを備え、各アーチ部材連結具は、前記ポストと取り外し可能に係合するように適合された凹部を備えている、項目１〜４のいずれかに記載の歯科矯正装具。
［６］
前記ポストは、前記アーチ部材連結具が前記対応する固定具連結具に接続されるときに、前記アーチ部材本体から略歯肉方向に配置されている、項目５に記載の歯科矯正装具。
［７］
各アーチ部材連結具は、接続時に、前記第１固定具の前記固定具連結具を囲む、項目１に記載の歯科矯正装具。
［８］
前記第１アーチ部材連結具は、弾性タブを含み、前記第１固定具の前記固定具連結具は、前記弾性タブを受け入れるように適合されたスロットを備え、前記第１固定具連結具は、前記第１アーチ部材連結具にスナップ嵌めされるようになっている、項目１に記載の歯科矯正装具。
［９］
前記第１アーチ部材連結具の前記弾性タブを、前記第１固定具の前記固定具連結具の前記スロットの適所に保持するように適合されたクランプを更に備えている、項目８に記載の歯科矯正装具。
［１０］
前記第１アーチ部材連結具は、前記第１固定具の前記固定具連結具の凹部と係合するように適合された、前記アーチ部材本体のスロット付き部分を備えている、項目１に記載の歯科矯正装具。
［１１］
前記第１固定具の前記固定具連結具の前記凹部は、前記アーチ部材本体の前記スロット付き部分を前記凹部内に保持するように適合されたアンダーカット部分を備えている、項目１０に記載の歯科矯正装具。
［１２］
前記アーチ部材本体の前記スロット付き部分は、前記第１固定具の前記固定具連結具の前記凹部と摺動可能に係合するように適合されている、項目１１に記載の歯科矯正装具。
［１３］
前記アーチ部材本体は断面積を含み、前記アーチ部材連結具は、前記アーチ部材本体の前記断面積よりも小さい断面積を有する、項目１１に記載の歯科矯正装具。
［１４］
前記アーチ部材本体は、断面積を含み、前記アーチ部材連結具は、前記アーチ部材本体の前記断面積よりも大きい断面積を有する、項目１７に記載の歯科矯正装具。
［１５］
アーチ部材本体、及び前記アーチ部材本体に接続された複数アーチ部材連結具を備えるアーチ部材と
固定具連結具、及び前記固定具を歯の表面に接続するように適合された基部をそれぞれ含む、複数の固定具と、を備える歯科矯正装具であって、
各アーチ部材連結具は、前記複数の固定具のうちの固定具の前記固定具連結具に取り外し可能に接続可能であり、更に少なくとも１つの固定具が、前記アーチ部材本体に対して変位するように適合され、前記少なくとも１つの固定具は、前記固定具が前記歯の前記表面に接続され、前記複数のアーチ部材連結具のうちのアーチ部材連結具が前記固定具連結具に接続されるときに、前記アーチ部材本体に対して摺動できるようになっており、
各アーチ部材連結具は、接続時に前記固定具連結具を囲み、更に前記アーチ部材本体は、前記複数の固定具のうちの前記固定具が、前記歯の前記表面に接続されるときに、前記歯の前記表面と接触しないように適合されている、歯科矯正装具。
［１６］
前記複数の固定具連結具の各固定具連結具は、ポストを備え、各アーチ部材連結具は、前記ポストと取り外し可能に係合するように適合された凹部を備えている、項目１５に記載の歯科矯正装具。
［１７］
前記ポストは、前記アーチ部材連結具が前記対応する固定具連結具に接続されるときに、前記アーチ部材本体から略歯肉方向に配置されている、項目１６に記載の歯科矯正装具。
［１８］
前記第１アーチ部材連結具は、弾性タブを備え、前記第１固定具の前記固定具連結具は前記弾性タブを受け入れるように適合されたスロットを備え、前記第１固定具連結具は、前記第１アーチ部材連結具にスナップ嵌めされるようになっている、項目１５のいずれか一項に記載の歯科矯正装具。
［１９］
前記第１アーチ部材連結具の前記弾性タブを、前記第１固定具の前記固定具連結具の前記スロットの適所に保持するように適合された、クランプを更に備えている、項目１８に記載の歯科矯正装具。
［２０］
前記アーチ部材本体は、前記複数のアーチ部材連結具の２つのアーチ部材連結具の間に第１非線形部分を備えている、項目１５に記載の歯科矯正装具。
【手続補正２】
【補正対象書類名】特許請求の範囲
【補正対象項目名】全文
【補正方法】変更
【補正の内容】
【特許請求の範囲】
【請求項１】
アーチ部材本体、及び前記アーチ部材本体に接続された複数のアーチ部材連結具を備えるアーチ部材と、
固定具連結具、及び固定具を歯の表面に接続するように適合された基部をそれぞれ含む複数の固定具と、を備えている歯科矯正装具であって、
各アーチ部材連結具は、前記複数の固定具のうちの固定具の前記固定具連結具に取り外し可能に接続可能であり、更に少なくとも１つの固定具は、前記アーチ部材本体に対して変位するように適合され、前記少なくとも１つの固定具は、前記固定具が前記歯の前記表面に接続され、前記複数のアーチ部材連結具のうちのアーチ部材連結具が前記固定具連結具に接続されるときに、前記アーチ部材本体に対して摺動できるようになっており、
前記アーチ部材本体は、２つのアーチ部材連結具の間において第１の形状を含み、これは別の２つのアーチ部材連結具の間の第２形状とは異なり、更に、前記アーチ部材本体は、前記複数の固定具のうちの前記固定具が前記歯の前記表面と接続されるときに、前記歯の前記表面と接触しないように適合されている、歯科矯正装具。
【請求項２】
アーチ部材本体、及び前記アーチ部材本体に接続された複数アーチ部材連結具を備えるアーチ部材と
固定具連結具、及び固定具を歯の表面に接続するように適合された基部をそれぞれ含む複数の固定具と、を備える歯科矯正装具であって、
各アーチ部材連結具は、前記複数の固定具のうちの固定具の前記固定具連結具に取り外し可能に接続可能であり、更に少なくとも１つの固定具が、前記アーチ部材本体に対して変位するように適合され、前記少なくとも１つの固定具は、前記固定具が前記歯の前記表面に接続され、前記複数のアーチ部材連結具のうちのアーチ部材連結具が前記固定具連結具に接続されるときに、前記アーチ部材本体に対して摺動できるようになっており、
各アーチ部材連結具は、接続時に前記固定具連結具を囲み、更に前記アーチ部材本体は、前記複数の固定具のうちの前記固定具が、前記歯の前記表面に接続されるときに、前記歯の前記表面と接触しないように適合されている、歯科矯正装具。